(57)【特許請求の範囲】
【請求項１】
ＩＰネットワークに接続された交換機と、ＩＰネットワーク上の電話番号に対応する接続先をデータベースとして一括管理するＧａｔｅｋｅｅｐｅｒ装置と、ＩＰネットワークと前記交換機の間に設けられ、前記Ｇａｔｅｋｅｅｐｅｒ装置に対して交換機から受信した電話番号に対応する接続先を問い合わせる複数のＧａｔｅｗａｙ装置とで構成されるネットワークシステムにおいて、
前記Ｇａｔｅｗａｙ装置は、前記Ｇａｔｅｋｅｅｐｅｒ装置が備える前記データベースと同等のデータベースと、周期的に前記Ｇａｔｅｋｅｅｐｅｒ装置に対して自装置を識別できる信号を送信する手段と、
前記自装置を識別できる信号に対するＧａｔｅｋｅｅｐｅｒ装置からの応答信号を受信する手段と、
前記Ｇａｔｅｋｅｅｐｅｒ装置からの応答信号の受信可否により該Ｇａｔｅｋｅｅｐｅｒ装置に自装置が登録されたか否かを登録する状態登録手段と、前記状態登録手段により自装置と前記Ｇａｔｅｋｅｅｐｅｒ装置との間の障害を検知する障害検知手段とを有しており、
前記障害検知手段により障害の発生が検知された後に当該Ｇａｔｅｗａｙ装置に接続される交換機から呼の接続要求を受けた場合には、当該Ｇａｔｅｗａｙ装置の前記データベースを用いて接続先を特定し、当該Ｇａｔｅｗａｙ装置及び接続先Ｇａｔｅｗａｙ装置の状態登録手段を参照して呼の接続処理を実行し呼の確立を行うことを特徴とするＶｏＩＰネットワークシステム。
【請求項２】
前記自装置識別信号を、Ｇａｔｅｋｅｅｐｅｒ装置への自装置情報を登録するためのＲＲＱ（Registration ReQuest）とし、また前記応答信号をＲＣＦ（Registration Confirm）又はＲＲＪ（Registration ReJection）とすることを特徴とする請求項１記載のＶｏＩＰネットワークシステム。
【発明の詳細な説明】
【０００１】
【発明の属する技術分野】
本発明は、ＶｏＩＰ（Ｖｏｉｃｅ Ｏｖｅｒ ＩＰ）装置を用いた呼接続制御に関し、特にGatekeeper装置等に障害が発生した場合においてGateway装置間の呼接続を制御する技術に関する。
【０００２】
【従来の技術】
一般に、VoIP Gateway装置を用いた接続Gatekeeper装置に障害が発生した場合は、Gateway装置間の呼の接続を確立する際、図７のような基本構成において、Gateway装置２は、PBX/TEL１より入力された電話番号（局番号＋端末番号）を受信し、電話番号に対応する接続先をGatekeeper装置９に問い合わせする。上記問い合わせは、Gateway装置２および６とGatekeeper装置９との間で、呼の接続要求メッセージ（ARQ-Admission ReQuest)に電話番号を含めて送出することにより、Gateway装置２または６は、Gatekeeper装置９より、呼の接続を要求する。一方、ARQメッセージを受信したGatekeeper装置９は、Gatekeeper装置９の判断により呼の接続許可メッセージ(ACF-Admission Confirm)を返送することにより接続許可を通知し、また接続拒否メッセージ（ARJ-Admission ReJection）を返送することにより接続拒否を通知する。Gatekeeper装置９は、主にネットワーク上の局番号を一括管理するもので、自装置内に電話番号と接続先との検索および変換機能を有しており、接続許可メッセージ（ACF）内に、電話番号から変換した接続先情報をGateway装置に対して通知する。Gateway装置２は、接続先情報を含むGatekeeper装置９からの応答に基づき、Gateway装置６に対して呼接続メッセージを送出し、呼を確立する事ができる。
【０００３】
【発明が解決しようとする課題】
しかしながら、図８のようにGatekeeper装置９またはGateway装置２とGatekeeper装置９との間のネットワークに障害が発生した場合、呼の接続要求が発生すると、接続先問い合わせ（ARQ）に対する応答（ACF）が期待できないため、電話番号から接続先を変換できず、呼の接続を確立することができない。
【０００４】
そこで、本発明の目的を、かかる障害が発生した場合であっても、交換機からの呼接続要求に対してGateway装置間の呼接続を確立することができることとする。
【０００５】
【課題を解決するための手段】
本発明によれば、ＩＰネットワークに接続された交換機と、ＩＰネットワーク上の電話番号に対応する接続先をデータベースとして一括管理するＧａｔｅｋｅｅｐｅｒ装置と、ＩＰネットワークと前記交換機の間に設けられ、前記Ｇａｔｅｋｅｅｐｅｒ装置に対して交換機から受信した電話番号に対応する接続先を問い合わせる複数のＧａｔｅｗａｙ装置とで構成されるネットワークシステムにおいて、
前記Ｇａｔｅｗａｙ装置は、前記Ｇａｔｅｋｅｅｐｅｒ装置が備える前記データベースと同等のデータベースと、周期的に前記Ｇａｔｅｋｅｅｐｅｒ装置に対して自装置を識別できる信号を送信する手段と、
前記自装置を識別できる信号に対するＧａｔｅｋｅｅｐｅｒ装置からの応答信号を受信する手段と、
前記Ｇａｔｅｋｅｅｐｅｒ装置からの応答信号の受信可否により該Ｇａｔｅｋｅｅｐｅｒ装置に自装置が登録されたか否かを登録する状態登録手段と、前記状態登録手段により自装置と前記Ｇａｔｅｋｅｅｐｅｒ装置との間の障害を検知する障害検知手段とを有しており、
前記障害検知手段により障害の発生が検知された後に当該Ｇａｔｅｗａｙ装置に接続される交換機から呼の接続要求を受けた場合には、当該Ｇａｔｅｗａｙ装置の前記データベースを用いて接続先を特定し、当該Ｇａｔｅｗａｙ装置及び接続先Ｇａｔｅｗａｙ装置の状態登録手段を参照して呼の接続処理を実行し呼の確立を行うことを特徴とするＶｏＩＰネットワークシステムを得ることができる。
【０００６】
また、上述の発明においてさらに、前記自装置識別信号を、Ｇａｔｅｋｅｅｐｅｒ装置への自装置情報を登録するためのＲＲＱ（Registration ReQuest）とし、また前記応答信号をＲＣＦ（Registration Confirm）又はＲＲＪ（Registration ReJection）とすることを特徴とするＶｏＩＰネットワークシステムを得ることができる。
【０００７】
【発明の実施の形態】
以下に、本発明の一実施の形態について、図１〜６を用いて説明する。
【０００８】
本発明では、まず図１に示すようにGateway装置２及び６には、Gatekeeper装置９が蓄積する局番号と接続先の変換情報１０と同等の情報１５及び１７を蓄積する。更に、各Gateway装置は、Gatekeeper装置９の障害発生を検知するため、Gatekeeper装置９に対して、周期的に自装置情報を登録するためのＲＲＱ（Registration ReQuest）メッセージを送信する（１１，１２，１３，１４）。なお、本処理に用いているＲＲＱメッセージとは、ITU-T H255.0勧告内で規定されており、Gateway装置とGatekeeper装置との間での登録手順、アドレス検索手順を行うものである。
【０００９】
ＲＲＱメッセージを受信したGatekeeper装置９は、Gateway装置に対して応答（ＲＣＦ-Registration Confirm又はＲＲＪ-Registration ReJection）メッセージ（１２，１４）を返送する。
【００１０】
ＲＲＱメッセージの応答としてＲＣＦメッセージを受信したGateway装置２及び６は、自装置情報のGatekeeper装置９への登録が成功したことを認知すると同時に、Gatekeeper装置９とGatekeeper装置９とGateway装置間のネットワークに異常及び障害が発生していないことを認知し、自装置内にもつ登録状態をい「登録」とする（１６）。
【００１１】
図２にGateway装置内の登録状態判定手順を示す。Gatekeeper装置９への登録処理（Ｓ１）において、自装置の情報をＲＲＱメッセージとして送信する。Gateway装置は、Gatekeeper装置からの登録許可メッセージ（ＲＣＦ）を受信するか否かをＳ２により判別し、ＲＣＦを受信している場合には、処理（Ｓ３）において自装置の登録状態を登録する。一方、登録不許可となるか、Gatekeeper装置からの応答メッセージを受信できない場合は、自装置の登録状態を未登録とする（Ｓ４）。
【００１２】
次に、図３用いて呼接続の手順について説明する。Gateway装置は、まず呼の接続要求があるかを判別する(S1)。呼の接続要求がある場合には、自装置の登録状態を参照し(S2)、状態が”登録”である場合には、Gatekeeper装置に対して接続先を問い合わせる(S4)。一方、状態が”未登録”の場合には、Gateway装置自装置内に蓄積する局番号と接続先との検索および変換情報を用い、接続先を決定する(S3)。そして、決定した接続先に対し、呼接続処理をおこなう(S5)。次に呼接続処理が正常に処理されたか否かを判定し(S6)、正常に接続できた場合には通話処理(S7)を行う。また、呼接続できなかった場合には、呼の接続処理を終了する。
【００１３】
次に図４に、ネットワークに障害が発生した場合に関して説明する。Gatekeeper装置９と各Gateway装置(2,6)間のネットワークに異常および障害(１７)が発生し、Gatekeeper装置９からの応答（RCF/RRJ）メッセージが返送されない場合、各Gateway装置２及び６は、Gatekeeper装置９またはGatekeeper装置９との間のネットワークに異常および障害(１７)が発生していると認識し、自装置内にもつ登録状態(１３，１６)を”未登録”とする。
【００１４】
本発明では、Gateway装置は上記RRQメッセージをGatekeeper装置に対して周期的に送信し、Gatekeeper装置への自装置情報の登録を行うと共に、Gatekeeper装置およびGatekeeper装置との間のネットワークに異常および障害が発生しているか否かを検知することが可能となる。
【００１５】
よって、図４のようにGatekeeper装置またはGatekeeper装置との間のネットワークに異常および障害が発生し、呼の接続に必要な局番号と接続先を変換できない場合、Gateway装置はGatekeeper装置の障害を検知し、呼の接続において自装置内に蓄積する局番号と接続先の変換情報を用い、接続先に対して呼の接続処理を実施し、呼の確立を可能とする。
【００１６】
このようにして、Gatekeeper装置またはGatekeeper装置とGateway装置との間に障害が発生し、呼の確立において、その機能を使用できない場合、Gateway装置内に蓄積する局情報を用い、呼の確立を可能にする。
【００１７】
図５、接続要求するGateway装置とGatekeeper装置との間のネットワークに障害が発生している場合を示す。２は接続要求元のGateway装置、６は接続要求先のGateway装置、９はGatekeeper装置、４は中継ネットワークを示している。また、１０，１４，１６は各装置に蓄積している電話番号と接続先の変換情報を示し、１５，１７は各Gateway装置の登録状態を示している。
【００１８】
図５構成において、Gateway装置２とGatekeeper装置９との間のネットワークに障害が発生しているため、Gateway装置２が周期的に送出する登録メッセージ（RRQ）に対して、Gatekeeper装置９は応答メッセージ（RCF）を送出することができない。従って、Gateway装置２の登録状態(１５)は”未登録”となる。このとき、Gateway装置６とGatekeeper装置９との間のネットワークは正常であるため、Gateway装置６の登録状態は”登録”となる。この場合においてGateway装置２より呼接続要求があると、Gateway装置２は自装置の登録状態が”未登録”であるため、自装置内の登録情報(１４)より、接続先を決定し、接続先をGateway装置６として呼接続処理を行う。
【００１９】
図６は、Gatekeeper装置に障害が発生している場合を示す。図６は、接続要求するGateway装置とGatekeeper装置との間のネットワークに障害が発生した場合の構成を示している。  ２は接続要求元のGateway装置、６は接続要求先のGateway装置、９はGatekeeper装置、４は中継ネットワークを示している。また、１０，１３，１５は各装置に蓄積している電話番号と接続先の変換情報を示し、１４，１６は各Gateway装置の登録状態を示している。
【００２０】
図６の構成において、Gatekeeper装置９に障害が発生しているため、Gateway装置２およびGateway装置６が周期的に送出する登録メッセージ（RRQ）に対して、Gatekeeper装置９は応答メッセージ（RCF）を送出することができない。従って、Gateway装置２とGateway装置６の登録状態(１４，１６)は”未登録”となる。この場合においてGateway装置２より呼接続要求があると、Gateway装置２は自装置の登録状態が”未登録”であるため、自装置内の登録情報(１４)より、接続先を決定し、接続先をGateway装置６として呼接続処理を行う。
【００２１】
【発明の効果】
以上、本発明によれば、Gateway装置２は、Gatekeeper装置またはGatekeeper装置との間のネットワークに障害が発生した場合であっても、自装置内の登録状態を確認することにより、呼接続を行うことが可能となる。
【図面の簡単な説明】
【図１】本発明の一実施の形態を示すネットワーク構成図である。
【図２】Ｇａｔｅｗａｙｓ装置の登録状態を判定する手順を示したフローチャート。
【図３】補発明の一実施の形態における呼接続手順を示すフローチャート。
【図４】本発明を適用したネットワークシステムにおいてネットワーク障害が発生した場合のシステム構成図。
【図５】本発明を適用したネットワークシステムにおいてＧａｔｅｗａｙ装置とＧａｔｅｋｅｅｐｅｒ装置間に障害が発生した場合のシステム構成図。
【図６】本発明を適用したネットワークシステムにおいてＧａｔｅｋｅｅｐｅｒ装置に障害が発生した場合のシステム構成図。
【図７】従来技術のネットワークシステム構成図。
【図８】従来のネットワークシステムに障害が発生した場合のシステム構成図。
【符号の説明】
１、７  交換機
２，６  Ｇａｔｅｗａｙ装置
４  ＩＰネットワーク
９  Ｇａｔｅｋｅｅｐｅｒ装置
１０、１５，１７  Ｇａｔｅｋｅｅｐｅｒ装置に備える局番号と接続先の変換情報
【図１】
0004564640.tif 000002
【図２】
0004564640.tif 000003
【図３】
0004564640.tif 000004
【図４】
0004564640.tif 000005
【図５】
0004564640.tif 000006
【図６】
0004564640.tif 000007
【図７】
0004564640.tif 000008
【図８】
0004564640.tif 000009